(57)【特許請求の範囲】
【請求項１】
シーリングコンセントに連結したソケットからペンダントケーブルで照明ライトを吊り下げるペンダント照明器具において、前記ソケットに被せるペンダント照明器具のソケット用カバーであって、
同一の形状を有し、合体させることによりカップ形状を形成するとともに底面中心部にペンダントケーブルの挿通穴が形成される左右一対の半割カップ片から成り、
各半割カップ片がカップ形状の底面の半分を形成する半割底面と、カップ形状の周面の半分を形成する半割周面を備え、
各半割カップ片の端部に係合部と被係合部を設け
各半割底面の端面の中央部に半円穴を形成し、
一方の半割カップ片の係合部を他方の半割カップ片の被係合部に解除可能に係合することにより左右一対の半割カップ片がカップ形状に合体し、
両半割カップ片が合体したとき、両半割カップ片の半円穴により前記挿通穴が形成されるとともに、挿通穴の内周端部がペンダントケーブルに圧接することにより、カップ状に合体した両半割カップ片をペンダントケーブルに取り付けることができ、
前記係合部として、前記半円穴の一側に半割底面の端面から突出するとともに、半割底面の内外方向への可撓性を有し、突出端部に摘み部と先端にテーパ面を形成したフック部を設けた係止片と、前記半割周面の先端側の一方の角隅部から内側へ突出する軸部を設け、
前記被係合部として、前記半円穴の他側に設けた被係止片を設けるともに、かつ前記半割周面の先端側の他方の角隅部に軸受部を設け、
一方の半割カップ片の軸部を他方の半割カップ面の軸受部に着脱可能に係合することにより、軸部を支点として、一方の半割カップ面の半割底面と他方の半割カップ面の半割底面とが互いに接離する方向へ回動可能に両半割カップ片を連結し、
一方の半割カップ片の半割底面の端面に他方の半割カップ片の半割底面の端面を当接したとき、一方の半割カップ片のテーパ面が他方の半割カップ片の被係止片に当接して一方の半割カップ片の係止片が半割底面の外側方向へ撓むことにより一方の半割カップ片のフック部が他方の半割カップ片の被係止片に係止して、両半割カップ片がカップ形状に合体し、
合体した両半割カップ片の摘み部をそれぞれ指で摘まんで半割底面の外側方向へ撓めることにより、一方の半割カップ片の係止片のフック部が他方の半割カップ片の被係止片から外れるようにしたことを特徴とするペンダント照明器具のソケット用カバー。
【請求項２】
シーリングコンセントに連結したソケットからペンダントケーブルで照明ライトを吊り下げるペンダント照明器具において、前記ソケットに被せるペンダント照明器具のソケット用カバーであって、
同一の形状を有し、合体させることによりカップ形状を形成するとともに底面中心部にペンダントケーブルの挿通穴が形成される左右一対の半割カップ片から成り、
各半割カップ片がカップ形状の底面の半分を形成する半割底面と、カップ形状の周面の半分を形成する半割周面を備え、
各半割カップ片の端部に係合部と被係合部を設け
各半割底面の端面の中央部に半円穴を形成し、
一方の半割カップ片の係合部を他方の半割カップ片の被係合部に解除可能に係合することにより左右一対の半割カップ片がカップ形状に合体し、
両半割カップ片が合体したとき、両半割カップ片の半円穴により前記挿通穴が形成されるとともに、挿通穴の内周端部がペンダントケーブルに圧接することにより、カップ状に合体した両半割カップ片をペンダントケーブルに取り付けることができ、
前記半割周面に、薄肉部を形成し、薄肉部を破断したときダクトレールが嵌合する嵌合穴が破断跡に形成されるようにしたことを特徴とするペンダント照明器具のソケット用カバー。
【請求項３】
前記半円穴を両カップ片が合体したとき円筒部を形成する半割円筒部で構成し、合体してペンダントケーブルに取り付けたられた両半割カップ片がソケットの方向へ摺動するのを許容し、照明ライトの方向へ摺動するのを阻止する爪状の圧接片を半割円筒部の内周端部に形成したことを特徴とする請求項１又は２に記載のペンダント照明器具のソケット用カバー。
【発明の詳細な説明】
【技術分野】
【０００１】
本発明はペンダント照明器具のソケット用カバーに関する。
【背景技術】
【０００２】
ペンダント照明器具は、天井に設けられているシーリングコンセントにソケットを連結し、ソケットからペンダントケーブルで照明ライトを天井から吊り下げて、使用される。
【０００３】
このように、ペンダント照明器具では天井のシーリングコンセントにソケットを連結してペンダントケーブルを天井から垂れ下げるので、室内の天井にシーリングコンセントとソケットが露出し、そのため、室内の美観が損なわれる。
【０００４】
一方、特開平７−２４５０１１号公報に開示されているペンダント照明灯では、シーリングコンセントとソケットにドーム型のカバーを被せている。このペンダント照明によれば、シーリングコンセントとソケットがドーム型のカバーで覆い隠されるので、天井の美観が損なわれない。
【先行技術文献】
【特許文献】
【０００５】
【特許文献１】特開平７−２４５０１１号公報
【発明の概要】
【発明が解決しようとする課題】
【０００６】
しかしながら、上記したドーム型カバーをシーリングコンセントに連結されているソケットに被せるには、シーリングコンセントから一旦、ソケットを取り外し、ドーム型カバーの頂部の穴にソケットとペンダントケーブルを挿通し、しかる後にシーリングコンセントにソケットを連結し、さらにドーム型カバーをシーリングコンセントとソケットに被せてビス等で天井に固定しなければならない。
【０００７】
このように、上記のドーム型カバーはソケットをシーリングコンセントから取り外したり、ドーム型カバーの穴に挿通したり、さらにはドーム型カバーを天井に固定する作業が不可欠なため、取付け作業が甚だ煩わしい。
【０００８】
本発明はかかる問題点に鑑み、ソケットをシーリングコンセントに連結したまま、後付でソケットとシーリングコンセントに被せて覆い隠すことができるペンダント照明器具のソケット用カバーを提供することを目的とする。
【課題を解決するための手段】
【０００９】
請求項１に記載の発明は、
シーリングコンセントに連結したソケットからペンダントケーブルで照明ライトを吊り下げるペンダント照明器具において、前記ソケットに被せるペンダント照明器具のソケット用カバーであって、
同一の形状を有し、合体させることによりカップ形状を形成するとともに底面中心部にペンダントケーブルの挿通穴が形成される左右一対の半割カップ片から成り、
各半割カップ片がカップ形状の底面の半分を形成する半割底面と、カップ形状の周面の半分を形成する半割周面を備え、
各半割カップ片の端部に係合部と被係合部を設け
各半割底面の端面の中央部に半円穴を形成し、
一方の半割カップ片の係合部を他方の半割カップ片の被係合部に解除可能に係合することにより左右一対の半割カップ片がカップ形状に合体し、
両半割カップ片が合体したとき、両半割カップ片の半円穴により前記挿通穴が形成されるとともに、挿通穴の内周端部がペンダントケーブルに圧接することにより、カップ状に合体した両半割カップ片をペンダントケーブルに取り付けることができ、
前記係合部として、前記半円穴の一側に半割底面の端面から突出するとともに、半割底面の内外方向への可撓性を有し、突出端部に摘み部と先端にテーパ面を形成したフック部を設けた係止片と、前記半割周面の先端側の一方の角隅部から内側へ突出する軸部を設け、
前記被係合部として、前記半円穴の他側に設けた被係止片を設けるともに、かつ前記半割周面の先端側の他方の角隅部に軸受部を設け、
一方の半割カップ片の軸部を他方の半割カップ面の軸受部に着脱可能に係合することにより、軸部を支点として、一方の半割カップ面の半割底面と他方の半割カップ面の半割底面とが互いに接離する方向へ回動可能に両半割カップ片を連結し、
一方の半割カップ片の半割底面の端面に他方の半割カップ片の半割底面の端面を当接したとき、一方の半割カップ片のテーパ面が他方の半割カップ片の被係止片に当接して一方の半割カップ片の係止片が半割底面の外側方向へ撓むことにより一方の半割カップ片のフック部が他方の半割カップ片の被係止片に係止して、両半割カップ片がカップ形状に合体し、
合体した両半割カップ片の摘み部をそれぞれ指で摘まんで半割底面の外側方向へ撓めることにより、一方の半割カップ片の係止片のフック部が他方の半割カップ片の被係止片から外れるようにしたことを特徴とする。
【００１０】
請求項２に記載の発明は、
シーリングコンセントに連結したソケットからペンダントケーブルで照明ライトを吊り下げるペンダント照明器具において、前記ソケットに被せるペンダント照明器具のソケット用カバーであって、
同一の形状を有し、合体させることによりカップ形状を形成するとともに底面中心部にペンダントケーブルの挿通穴が形成される左右一対の半割カップ片から成り、
各半割カップ片がカップ形状の底面の半分を形成する半割底面と、カップ形状の周面の半分を形成する半割周面を備え、
各半割カップ片の端部に係合部と被係合部を設け
各半割底面の端面の中央部に半円穴を形成し、
一方の半割カップ片の係合部を他方の半割カップ片の被係合部に解除可能に係合することにより左右一対の半割カップ片がカップ形状に合体し、
両半割カップ片が合体したとき、両半割カップ片の半円穴により前記挿通穴が形成されるとともに、挿通穴の内周端部がペンダントケーブルに圧接することにより、カップ状に合体した両半割カップ片をペンダントケーブルに取り付けることができ、
前記半割周面に、薄肉部を形成し、薄肉部を破断したときダクトレールが嵌合する嵌合穴が破断跡に形成されるようにしたことを特徴とする。
【００１１】
請求項３に記載の発明は、請求項1又は２に記載のペンダント照明器具のソケット用カバーにおいて、
前記半円穴を両カップ片が合体したとき円筒部を形成する半割円筒部で構成し、合体してペンダントケーブルに取り付けたられた両半割カップ片がソケットの方向へ摺動するのを許容し、照明ライトの方向へ摺動するのを阻止する爪状の圧接片を半割円筒部の内周端部に形成したことを特徴とする。
【発明の効果】
【００１２】
請求項１に記載の発明によれば、ソケット用カバーを合体したとき、底面にペンダントケーブルの挿通穴を有するカップ形状となる一対の半割カップ片で構成し、両半割カップ片が合体したとき、挿通穴の内周端部がペンダントケーブルに圧接することにより、カップ状に合体した両半割カップ片がペンダントケーブルに取り付けられるように構成したので、ソケットをシーリングコンセントに連結したまま、ソケットから垂れ下がっているペンダントケーブルを両半割カップ片で挟むようにして両半割カップ片を合体することにより、カップ形状のソケット用カバーを後付でソケットとシーリングコンセントに被せてソケットとシーリングコンセントを覆い隠すことができる。
【００１３】
カップ形状のソケット用カバーは、係合部と被係合部の係合を解除することにより二つの半割カップ片に分解できるので、被せたソケットから取り外すこともできる。ソケット用カバーは、カップ形状を有するので、ペンダントケーブルを輪にし、あるいは屈曲させてペンダントケーブルの天井からの垂れ下がり寸法を短くし、ペンダントケーブルの輪になった部分や屈曲部分を、カップ形状の内部に収納できる。そのため、ペンダントケーブルの輪や屈曲部が露出して室内の美観が損なわれることはない。また、半割カップ片は同一形状を有するので、低コストで製造できる。
【００１４】
ペンダントケーブルを両半割カップ片で挟み、一方の半割カップ片の軸部を他方の半割カップ片の軸受部に係合し、軸部を支点にして両半割カップ片を回動させて両半割底面を当接すれば、一方の半割カップ片の係止片が撓んでフック部が他方の半割カップ片の被係止片に係止して、両半割カップ片がカップ形状に合体する。
【００１５】
このように、両半割カップ片でペンダントケーブルを挟んで、軸部を軸受部に係合させ、軸部を支点にして両半割カップ片を回動すれば、カップ形状のソケット用カバーをペンダントケーブルに取り付けることができる。また、二つの摘み部を指で摘まんで撓めるだけで、カップ形状に合体してペンダントケーブルに取り付けられたソケット用カバーを、ペンダントケーブルから取り外すことができるので、使い勝手が良い。
【００１６】
請求項２に記載の発明によれば、半割カップ片の半割周面を薄肉部から破断すると、ダクトレールの嵌合穴が形成できるので、嵌合穴にダクトレールを嵌合することにより、ダクトレールに移動可能に組み込まれているシーリングコンセントもカップ状に合体した両半割カップ片で覆い隠すことができる。
【００１７】
請求項３に記載の発明によれば、ペンダントケーブルの中間部を挟むようにして両半割カップ片をカップ形状に合体させた後、合体した両半割カップ片をペンダントケーブルに沿ってソケット側へ摺動すれば、カップ形状に合体した両半割カップ片でソケットとシーリングコンセントを覆い隠すことができる。このように、ペンダントケーブルの中間部で両半割カップ片を合体してペンダントケーブルに取り付けた後、ソケット側へ摺動すれば、合体した両半割カップ片でソケットを覆い隠すことができるので、使い勝手が良い。
【図面の簡単な説明】
【００１８】
【図１】本発明の第１実施例に係るソケット用カバーを示す斜視図である。
【図２】同カバーを構成する半割カップ片を示す斜視図である。
【図３】同カバーのペンダントケーブルへの取付け方法を示す説明図である。
【図４】同カバーのペンダントケーブルへの取付け方法を示す説明図である。
【図５】同カバーを構成する半割カップ片の係止片と被係止片を示す部分拡大図である。
【図６】同カバーを構成する半割カップ片の係止片と被係止片を示す部分拡大図である。
【図７】同カバーのペンダントケーブルへの取付け方法を示す説明図である。
【図８】同カバーを構成する半割カップ片の半割円筒部を示す部分拡大図である。
【図９】同カバーのペンダントケーブルからの取り外し方法を示す説明図である。
【図１０】同カバーのペンダントケーブルからの取り外し方法を示す説明図である。
【図１１】同カバーへのペンダントケーブルの収納方法を示す説明図である。
【図１２】本発明の第２実施例に係る半割カップ片を示す斜視図である。
【図１３】半割カップ片の部分拡大断面図である。
【実施例１】
【００１９】
以下に本発明を図面に基づき説明する。図１には本発明の一実施例に係るペンダント照明器具のソケット用カバー１０が示されている。当該ソケット用カバー１０はプラスチックでカップ形状に成型され、底面１１にはペンダントケーブルが挿通される挿通穴１２が形成されている。このソケット用カバー１０は図２に示す同一形状の二つの半割カップ片２０を合体することにより構成されている。
【００２０】
半割カップ片２０はカップ形状における底面１１の半分を構成する半割底面２１と、カップ形状における周面１３の半分を構成する半割周面２２を備えている。半割底面２１の中心部には挿通穴１２を構成する半割円筒部２３が内側に突出するように設けられている。半割円筒部２３の突出端部には爪片２４が形成されている。この爪片２４は突出端部から半割底面２１の側に屈曲している。半割円筒部２３には半割円筒部２３の縦方向に延びるスリット２５が形成されているので、爪片２４が半割円筒部２３の内外方向への可撓性を有する。
【００２１】
半割円筒部２３の一側には半割底面２１の端面２１ａから突出するように係止片２６が設けられている。この係止片２６の両側にはスリット２７が形成されているので、係止片２６は半割底面２１の内外方向への可撓性を有する。係止片２６の突出端部には摘み部２８とフック部２９が設けられている。摘み部２８は係止片２６の突出端部の外面から半割底面２１の外側へ突出するように設けられている。フック部２９は突出端部の内面に設けられている。フック部２９の先端にはテーパ面２９ａが形成されている。一方、半割円筒部２３の他側には被係止片３０が設けられるとともに、被係止片３０の内側に被係止穴３１が形成されている。
【００２２】
半割周面２２の先端側の一方の角隅部には軸部３２が設けられている。この軸部３２は半割カップ片２０の内側方向へ突出している。一方、半割周面２２の先端側の他方の角隅部には軸受用凹部３３が形成されている。また、半割周面２２の先端側端部の複数個所に矩形の薄肉部３４〜３７が形成されている。
【００２３】
ソケット用カバー１０の構成は以上の通りであって、以下にその使用方法を説明する。ソケット用カバー１０は図３に示すように、ペンダント照明器具４０に取り付けて使用される。このペンダント照明器具４０では、天井に敷設したダクトレール４１に摺動可能に組み込まれたシーリングコンセント４２にソケット４３が連結され、ソケット４３からペンダントケーブル４４で照明ライト４５が吊り下げられている。このペンダントケーブル４４の中間部を両半割カップ片２０で挟み、一方の半割カップ片２０の軸部３２を他方の半割カップ片２０の軸受用凹部３３に係合する。ついで、軸部３２を支点にして両半割カップ片２０を回動させて、両半割底面２１を当接する。図５に示すように、一方の半割カップ片２０の半割底面２１の端面に、他方の半割カップ片２０の半割底面２１の端面を当接する直前に、一方の半割カップ片２０のフック部２９のテーパ面２９ａが他方の半割カップ片２０の被係止片３０に当接するので、一方の半割カップ片２０の係止片２６が、半割底面の外側方向（矢印Ａ）へ撓む。さらに一方の半割カップ片２０を回動すると、フック部２９が他方の半割カップ片２０の被係止片３０に係止して被係止穴３１に係止され、これにより図７に示すように、両半割カップ片２０がペンダントケーブル４４の中間部でカップ形状に合体する。
【００２４】
両半割カップ片２０がカップ形状に合体すると、図８に示すように、両半割円筒部２３が拡開し、ペンダントケーブル４４に両半割円筒部２３の爪片２４が圧接するので、カップ形状に合体した両半割カップ片２０がペンダントケーブル４４に取り付けられる。ペンダントケーブル４４に取り付けた両半割カップ片は、爪片２４が半割円筒部２３の突出端部から半割底面２１側に屈曲しているので、ソケット４３の方向へは、ペンダントケーブル４４に沿って摺動するが、照明ライト４５の方向へは摺動しない。そこで、図９に示すように、合体した両半割カップ片２０を上方へ摺動させて、ソケット４３とシーリングコンセント４２に被せて覆い隠す。
【００２５】
ソケット４３に被せたソケット用カバー１０は、図９に示すように親指４６を一方の摘み２８に当て、人差し指４７を他方の摘み２８に当て、両指４６，４７を閉じると、係止片２６が半割カップ片２０の底面２１の外側方向へ撓んで、フック部２９が被係止片３０から外れるので、図１０に示すように、二つの半割カップ片２０に分割され、ペンダントケーブル４４から取り外すことができる。
【００２６】
以上説明したように、本実施例に係るソケット用カバー１０によれば、合体したとき、底面１１にペンダントケーブル４４の挿通穴１２を有するカップ形状となる一対の半割カップ片２０で構成し、両半割カップ片２０が合体したとき、挿通穴１２の内周端部の爪片２４がペンダントケーブル４４に圧接することにより、カップ状に合体した両半割カップ片２０がペンダントケーブル４４に取り付けられるように構成したので、ソケット４３をシーリングコンセント４２に連結したまま、ソケット４３から垂れ下がっているペンダントケーブル４４にカップ形状のソケット用カバー１０を後付でソケット４３とシーリングコンセント４４に被せて覆い隠すことができる。そして、半割カップ片２０は同一形状を有するので、低コストで製造できる。
【００２７】
とりわけ、本実施例では、ペンダントケーブル４４を両半割カップ片２０で挟み、一方の半割カップ片２０の軸部３２を他方の半割カップ片２０の軸受凹部３３に係合し、軸部３２を支点にして両半割カップ片２０を回動させて両半割底面２１を当接すれば、一方の半割カップ片２０の係止片２６が撓んでフック部２９が他方の半割カップ片２０の被係止片３０に係止して、両半割カップ片２０がカップ形状に合体する。そのため、両半割カップ片２０でペンダントケーブル４４を挟んで、軸部３２を軸受凹部３３に係合させ、軸部３２を支点にして両半割カップ片２０を回動すれば、カップ形状のソケット用カバー１０をペンダントケーブル４４に取り付けることができる。また、二つの摘み部２８を指で摘まんで撓めるだけで、カップ形状に合体してペンダントケーブル４４に取り付けられたソケット用カバー１０をペンダントケーブル４４から取り外すことができるので、使い勝手が良い。
【００２８】
また、ペンダントケーブル４４の中間部を挟むようにして両半割カップ片２０をカップ形状に合体させた後、合体した両半割カップ片２０をペンダントケーブル４４に沿ってソケット４３側へ摺動すれば、カップ形状に合体した両半割カップ片２０でソケット４３とシーリングコンセント４２を覆い隠すことができ、使い勝手が良い。
【００２９】
以上説明したソケット用カバー１０の取付け方法では、同カバー１０の開口端面が天井に敷設されているダクトレール４１に当接しているが、薄肉部３４〜３７のうちダクトレール４１に対応する幅をもった薄肉部３４〜３７を選択して破断して嵌合穴を形成しておけば、ダクトレール４１に被せることができる。
【００３０】
本実施例に係るソケット用カバー１０は、カップ形状を有するので、図１１に示すように、ペンダントケーブル４４の中間部を輪にし、もしくは巻回して結束バンド４８で結び、内部に収納すれば、ペンダントケーブル４４の見栄えを損なうことなくその長さを調整できる。
【実施例２】
【００３１】
本発明の第２実施例に係るソケット用カバー１０を構成する半割カップ片５０を図１２及び図１３に示す。上述した第１実施例に係るソケット用カバー１０では、半割カップ片２０の半割周面２２の先端角隅部に軸部３２と、軸受用凹部３３を設けたが、これに代わるものとして、図１２に示すように、半割カップ片５０の半割周面２２における一方の先端側角隅部に外向き段差部５１設けるとともに、外向き段差部５１に通孔５２を形成している。また、他方の先端側角隅部に内向き段差部５３を設けるとともに、内向き段差部５３に通孔５４を形成している。そして、両先端側角隅部の外側にピン５５を半割カップ片５０の周面２２に連結する紐５６を一体成型している。
なお、第２実施例に係るソケット用カバー１０を構成する半割カップ片５０の他の構成は第１実施例に係るソケット用カバー１０の半割カップ片２０と同じである。
【００３２】
第２実施例に係るソケット用カバー１０は、一方の半割カップ片５０の外向き段差部５１と他方の半割カップ片５０の内向き段差部５３を嵌合し、両段差部５１，５３の通孔５２，５４にピン５５を挿通することにより、両半割カップ片５０が連結できる。また、紐５６を破断すればピン５５を半割カップ片５０から分離できる。
【符号の説明】
【００３３】
１０…ソケット用カバー
１１…底面
１２…挿通穴
１３…周面
２０…半割カップ片
２１…半割底面
２２…半割周面
２３…半割円筒部
２４…爪片
２５…スリット
２６…係止片
２７…スリット
２８…摘み部
２９フック部
２９ａ…テーパ面
３０…被係止片
３１…被係止穴
３２…軸部
３３…軸受凹部
３４〜３７…薄肉部
４０…ペンダント照明器具
４１…ダクトレール
４２…シーリングコンセント
４３…ソケット
４４…ペンダントケーブル
４５…照明ライト
５０…半割カップ片
５１…外向き段差部
５２…通孔
５３…内向き段差部
５４…通孔
５５…ピン
【図１】
0006263720.tif 000002
【図２】
0006263720.tif 000003
【図３】
0006263720.tif 000004
【図４】
0006263720.tif 000005
【図５】
0006263720.tif 000006
【図６】
0006263720.tif 000007
【図７】
0006263720.tif 000008
【図８】
0006263720.tif 000009
【図９】
0006263720.tif 000010
【図１０】
0006263720.tif 000011
【図１１】
0006263720.tif 000012
【図１２】
0006263720.tif 000013
【図１３】
0006263720.tif 000014